(57)【要約】      （修正有）【課題】伝送品質を向上する信号処理装置及び信号処理方法を提供する。【解決手段】信号処理装置は、シンボルを伝送する信号をＡ／Ｄ変換することにより得られた信号値を処理するシンボル復元部１０において、信号値と閾値を比較した結果に基づき、シンボルの値を判定する判定部１００と、シンボルの値が遷移するパタンを検出するシンボルパタン検出部１０１とを有する。判定部１００は、検出部１０１により検出されたシンボルパタンに応じて閾値Ｖｔｈ１〜Ｖｔｈ３を補正する。【選択図】図３
2016086312.tif 000002
【特許請求の範囲】
【請求項１】
シンボルを伝送する信号をＡ／Ｄ変換することにより得られた信号値を処理する信号処理装置において、
前記信号値と閾値を比較し、該比較結果に基づき前記シンボルの値を判定する判定部と、
前記シンボルの値が遷移するパタンを検出する検出部とを有し、
前記判定部は、前記検出部により検出された前記パタンに応じて前記閾値を補正することを特徴とする信号処理装置。
【請求項２】
前記パタンごとに対応する前記閾値の補正値を記憶する記憶部を、さらに有し、
前記判定部は、前記記憶部から、前記検出部により検出された前記パタンに対応する前記補正値を読み出し、読み出した前記補正値に基づき前記閾値を補正することを特徴とする請求項１に記載の信号処理装置。
【請求項３】
前記パタンが予め定められた前記シンボルを伝送する信号をＡ／Ｄ変換することにより得られた前記信号値と、前記シンボルの値の期待値とに基づき前記補正値を算出して、前記記憶部に書き込む算出部を、さらに有することを特徴とする請求項２に記載の信号処理装置。
【請求項４】
前記シンボルを伝送する信号に付与されたデータから前記期待値を取得する取得部を、さらに有することを特徴とする請求項３に記載の信号処理装置。
【請求項５】
前記算出部は、前記パタンが予め定められた前記シンボルの２つの異なる値にそれぞれ対応する前記信号値の最大値及び最小値を比較し、該比較結果に基づいて、前記パタンに含まれる前記シンボルの数を設定することを特徴とする請求項３または４に記載の信号処理装置。
【請求項６】
前記記憶部は、複数の領域が設けられ、
前記算出部は、前記複数の領域の１つに前記補正値を書き込み、書き込みが完了するたびに該領域を切り替え、
前記判定部は、前記複数の領域の他の１つから前記補正値を読み出し、前記算出部が前記補正値の書き込みを完了するたびに、該読み出し対象の領域を前記書き込みが完了した領域に切り替えることを特徴とする請求項３乃至５の何れかに記載の信号処理装置。
【請求項７】
環境条件の変化に応じた前記補正値の変動を補償する補償部を、さらに有することを特徴とする請求項２に記載の信号処理装置。
【請求項８】
前記環境条件の変化量を検出する環境変化検出部を、さらに有し、
前記補償部は、前記環境条件の変化量の検出結果に応じて前記補正値の変動を補償することを特徴とする請求項７に記載の信号処理装置。
【請求項９】
シンボルを伝送する信号をＡ／Ｄ変換することにより得られた信号値を処理する信号処理方法において、
前記信号値と閾値を比較し、該比較結果に基づき前記シンボルの値を判定し、
前記シンボルの値が遷移するパタンを検出し、
前記パタンに応じて前記閾値を補正することを特徴とする信号処理方法。
【発明の詳細な説明】
【技術分野】
【０００１】
本件は、信号処理装置及び信号処理方法に関する。
【背景技術】
【０００２】
大容量のデータ伝送の需要の増加に応じ、例えばデジタルコヒーレント光伝送方式のように、１つの波長光で１００（Ｇｂｐｓ）以上の伝送を可能とする光伝送方式の研究開発が行われている（例えば特許文献１参照）。このような光伝送方式では、８ＱＡＭ（Quadrature Amplitude Modulation）や１６ＱＡＭなどの多値変調方式が用いられる。
【先行技術文献】
【特許文献】
【０００３】
【特許文献１】特開２０１３−８１２２７号公報
【発明の概要】
【発明が解決しようとする課題】
【０００４】
上述した光伝送方式では、デバイスの性能限界に近い速度で信号処理を行うため、デバイスにおける特性の劣化を補正する補正手段が用いられる。例えば、デバイスの非線形性についてはリニアリティ回路が用いられ、デバイスの周波数特性についてはイコライザ回路が用いられる。
【０００５】
しかし、更なる高速化や変調方式の多値化を考慮すると、伝送信号の立ち上がり波形及び立ち下り波形の不均衡や、連続する０値の信号の後に１値の信号の立ち上げ時間が増加するメモリ効果の影響が増加する可能性がある。このため、上記の補正手段では十分に特性の劣化を補正できず、伝送品質が劣化するという問題が生ずる。
【０００６】
そこで本件は上記の課題に鑑みてなされたものであり、伝送品質を向上する信号処理装置及び信号処理方法を提供することを目的とする。
【課題を解決するための手段】
【０００７】
本明細書に記載の信号処理装置は、シンボルを伝送する信号をＡ／Ｄ変換することにより得られた信号値を処理する信号処理装置において、前記信号値と閾値を比較し、該比較結果に基づき前記シンボルの値を判定する判定部と、前記シンボルの値が遷移するパタンを検出する検出部とを有し、前記判定部は、前記検出部により検出された前記パタンに応じて前記閾値を補正する。
【０００８】
本明細書に記載の信号処理方法は、シンボルを伝送する信号をＡ／Ｄ変換することにより得られた信号値を処理する信号処理方法において、前記信号値と閾値を比較し、該比較結果に基づき前記シンボルの値を判定し、前記シンボルの値が遷移するパタンを検出し、前記パタンに応じて前記閾値を補正する方法である。
【発明の効果】
【０００９】
伝送品質を向上できる。
【図面の簡単な説明】
【００１０】
【図１】伝送システムの一例を示す構成図である。
【図２】送信されたシンボル及び信号の受信波形の一例を示す構成図である。
【図３】第１実施例のシンボル復元部を示す構成図である。
【図４】信号の受信波形とシンボル値の遷移パタンの一例を示す図である。
【図５】ルックアップテーブル及び閾値の補正の一例を示す図である。
【図６】閾値の補正の他例を示す図である。
【図７】第２実施例のシンボル復元部を示す構成図である。
【図８】補正値の変動の一例を示す図である。
【図９】第３実施例のシンボル復元部を示す構成図である。
【図１０】温度変化に伴う補正値の変動の一例を示す図である。
【図１１】第４実施例のシンボル復元部を示す構成図である。
【図１２】信号レベルのマッピングと補正値の一例を示す表である。
【図１３】キャリブレーション処理の一例を示すフローチャートである。
【図１４】信号レベルの分布に基づいた補正値の算出例を示す図である。
【図１５】信号レベルのばらつきの一例を示す図である。
【図１６】遷移パタンのシンボル数の設定処理の一例を示すフローチャートである。
【図１７】伝送システムの他例を示す構成図である。
【発明を実施するための形態】
【００１１】
図１は、伝送システムの一例を示す構成図である。伝送システムは、シンボルを伝送する信号Ｓを送信する送信装置２と、信号Ｓを受信する受信装置１とを有する。送信装置２及び受信装置１は、光ファイバなどの伝送路Ｄにより接続され、信号Ｓを送受信する。
【００１２】
送信装置２は、補正部２０と、デジタル−アナログ変換部（D/A）２１と、増幅部（AMP）２２と、電気−光変換部（E/O）２３とを有する。補正部２０は、リニアライザ２００及びイコライザ２０１を有し、所定の変調方式によりシンボル化された電気信号を補正する。リニアライザ２００は、非線形性に関する補正を行い、イコライザ２０１は、周波数特性に関する補正を行う。なお、補正部２０は、例えばＤＳＰ（Digital Signal Processor）により構成される。
【００１３】
デジタル−アナログ変換部２１は、補正部２０から出力された電気信号をデジタル信号からアナログ信号に変換する。増幅部２２は、デジタル−アナログ変換部２１から出力された電気信号を増幅する。電気−光変換部２３は、増幅部２２から出力された電気信号を光信号に変換して、信号Ｓとして伝送路Ｄに出力する。
【００１４】
受信装置１は、光−電気変換部（O/E）１２と、アナログ−デジタル変換部（A/D）１１と、シンボル復元部１０とを有する。光−電気変換部１２は、伝送路Ｄから入力された信号Ｓを電気信号に変換する。アナログ−デジタル変換部（A/D）１１は、光−電気変換部１２から出力された電気信号をデジタル信号に変換する。
【００１５】
つまり、アナログ−デジタル変換部１１は、シンボルを伝送する信号ＳをＡ／Ｄ変換して信号レベルを取得する。信号レベルは、例えば８ビットのアナログ−デジタル変換部１１の場合、００〜ＦＦ（１６進数）の信号値で表される。
【００１６】
シンボル復元部１０は、アナログ−デジタル変換部１１から出力された信号レベルを１以上の閾値と比較し、比較結果に基づいてシンボル値を復元する。復元されたシンボルは、送信装置２の変調方式に応じた復調方式により復調される。このように、受信装置１は、シンボルを伝送する信号ＳをＡ／Ｄ変換することにより得られた信号値を処理する信号処理装置の一例である。
【００１７】
図２（ａ）には、送信されたシンボルの一例が示されている。本実施例では、４種類のシンボル値「０」〜「３」が用いられ、シンボル値ごとに異なる信号レベルが割り当てられる。送信装置２は、一例として、「０」，「０」，「２」，「３」，「２」，「１」，「０」，「０」，「０」，「０」，「０」，「３」，「０」，「０」の順にシンボルを送信する。
【００１８】
図２（ｂ）には、受信信号Ｓの受信波形の一例が示されている。一例として、シンボル復元部１０は、信号レベルが００〜３Ｆ（１６進数）である場合、シンボル値を「０」と判定し、信号レベルが４０〜７Ｆ（１６進数）である場合、シンボル値を「１」と判定する。また、シンボル復元部１０は、信号レベルが８０〜ＢＦ（１６進数）である場合、シンボル値を「２」と判定し、信号レベルがＣ０〜ＦＦ（１６進数）である場合、シンボル値を「３」と判定する。このように、信号レベルの範囲に応じてシンボル値を決定するため、シンボル復元部１０は、信号レベルを３つの閾値（本例では３Ｆ，７Ｆ，ＢＦ（１６進数））と比較する。
【００１９】
図２（ｂ）の波形では、図２（ａ）と比較すると理解されるように、５個の「０」が連続した後の立ち上がり波形Ｗの劣化の程度が他の立ち上がり波形より大きく、該信号レベルが、シンボル値「３」に対応する範囲（Ｃ０〜ＦＦ（１６進数））に達していない。このため、シンボル復元部１０は、仮に閾値を補正しないとすると、符号Ｅ１で示されるように、正しくは「３」と判定されるべきシンボル値を「２」と誤判定する。また、上記の立ち上がり波形Ｗの後、該波形Ｗとは不均衡な立ち下り波形が生じているため、その次のシンボル値も、正しくは「０」であるが、「１」と誤判定される。
【００２０】
そこで、シンボル復元部１０は、図２（ｃ）に示されるように、閾値を補正することでシンボル値の誤判定を防止する。波形の劣化の程度は、上述したように、シンボル値が遷移するパタン（以下、「遷移パタン」と表記）に影響される。このため、シンボル復元部１０は、例えば、連続する直前の４個のシンボル値からなる遷移パタンに応じて、閾値を補正する。なお、遷移パタンは、これに限定されず、何個のシンボル値から構成されてもよく、さらに不連続のシンボル値から構成されてもよい。
【００２１】
本例において、シンボル復元部１０は、遷移パタンが「０」，「０」，「０」，「０」である場合、「２」及び「３」の間の閾値（ＢＦ（１６進数））と、「１」及び「２」の間の閾値（７Ｆ（１６進数））とを下げる（区間Ｔ１参照）。また、シンボル復元部１０は、遷移パタンが「０」，「０」，「０」，「３」である場合、「２」及び「３」の間の閾値を下げるとともに、「１」及び「０」の間の閾値（３Ｆ（１６進数））を上げる（区間Ｔ２参照）。
【００２２】
これにより、当該区間Ｔ１，Ｔ２において、信号レベルは、補正された閾値により規定されるシンボル値「０」，「３」の数値範囲にそれぞれ収まる。このため、シンボル復元部１０は、符号Ｅ２に示されるように、シンボル値「３」，「０」を正しく判定することができる。
【００２３】
（第１実施例）
図３は、第１実施例のシンボル復元部１０を示す構成図である。シンボル復元部１０は、一例として、ＤＳＰ１０ａ及びルックアップテーブル（LUT: Look-Up Table）１０２を有する。ＤＳＰ１０ａには、判定部１００及びシンボルパタン検出部１０１が含まれる。また、ＬＵＴ１０２は、例えばメモリなどの記憶手段により設けられるが、これに限定されることはなく、ＤＳＰ１０ａ内に設けられてもよい。
【００２４】
判定部１００は、信号レベルと閾値を比較し、該比較結果に基づきシンボル値を判定する。シンボルパタン検出部１０１は、検出部として機能し、シンボル値の遷移パタンを検出する。ＬＵＴ１０２は、遷移パタンごとに対応する閾値の補正値を記憶する記憶部の一例である。判定部１００は、シンボルパタン検出部１０１により検出された遷移パタンに応じて閾値を補正する。
【００２５】
上述したように、信号Ｓの波形の劣化の程度は、シンボル値の遷移パタンに影響される。このため、判定部１００は、シンボルパタン検出部１０１により検出された遷移パタンに応じて閾値を補正することにより、シンボル値を正しく判定することができるので、伝送品質が向上する。
【００２６】
図４には、信号Ｓの受信波形とシンボル値の遷移パタンの一例が示されている。図４において、実線は、送信されたシンボル値を示し、点線は、受信波形を示す。
【００２７】
本例において、受信波形は、一例として、連続する直前の４個のシンボル値の遷移パタンの影響を受けるものとする。すなわち、信号レベルは、過去の４個のシンボル値の履歴の影響を受ける。
【００２８】
本例では、符号Ｅ３で示されるシンボル値「２」の信号レベルは、直前の４個のシンボル値「１」，「３」，「２」，「０」の影響を受ける。また、符号Ｅ４で示されるシンボル値「１」の信号レベルは、直前の４個のシンボル値「３」，「２」，「０」，「２」の影響を受け、符号Ｅ５で示されるシンボル値「３」の信号レベルは、直前の４個のシンボル値「２」，「０」，「２」，「１」の影響を受ける。
【００２９】
このため、ＬＵＴ１０２には、直前の４個のシンボル値の組み合わせ（４４＝２５６組）に対応する補正値が登録されている。補正値は、実測または波形シミュレーションの結果に基づいて算出されてもよいし、後述するようにキャリブレーション処理に基づいて算出されてもよい。
【００３０】
図５（ａ）には、ＬＵＴ１０２の一例が示されている。ＬＵＴ１０２は、遷移パタンを区別する「Ｎｏ．」（０〜２５５）、４個のシンボル値の「遷移パタン」、及びシンボル値「０」〜「３」の判定に用いられる閾値の「補正値」を含む。例えば、Ｎｏ．１２０を参照すると、シンボル値「１」，「３」，「２」，「０」の遷移パタンに応じた補正値は、Ｖｔｈ１〜Ｖｔｈ３となる。なお、補正値は、更新後の閾値であってもよいし、現在の閾値との差分であってもよい。
【００３１】
また、図５（ｂ）には、閾値の補正の一例が示されている。符号Ｇ０〜Ｇ３は、遷移パタンが「１」，「３」，「２」，「０」である場合における、シンボル値「０」〜「３」（「＊」参照）にそれぞれ対応する受信波形を示す。本例では、シンボル値「０」，「１」間の閾値をＶｔｈ１に補正し、シンボル値「１」，「２」間の閾値をＶｔｈ２に補正し、シンボル値「２」，「３」間の閾値をＶｔｈ３に補正に補正する。
【００３２】
補正値Ｖｔｈ１〜Ｖｔｈ３は、一例として、シンボル値「０」〜「３」に対応する信号レベル同士の中間値が設定されている。つまり、補正値Ｖｔｈ１は、シンボル値「０」，「１」の各信号レベルの中間値であり、補正値Ｖｔｈ２は、シンボル値「１」，「２」の各信号レベルの中間値であり、補正値Ｖｔｈ３は、シンボル値「２」，「３」の各信号レベルの中間値である。もっとも、補正値Ｖｔｈ１〜Ｖｔｈ３は、これに限定されず、後述するように、最大値と最小値の中間値として算出されてもよいし、信号レベルの分布に基づいて算出されてもよい。
【００３３】
シンボルパタン検出部１０１は、例えばシフトレジスタを用いて直前の４個のシンボル値をラッチすることにより、遷移パタンを検出する。検出された遷移パタンは、ＬＵＴ１０２に出力される。ＬＵＴ１０２は、シンボルパタン検出部１０１から入力された遷移パタンに応じた補正値Ｖｔｈ１〜Ｖｔｈ３を判定部１００に出力する。つまり、判定部１００は、ＬＵＴ１０２から、シンボルパタン検出部１０１により検出された遷移パタンに対応する補正値Ｖｔｈ１〜Ｖｔｈ３を読み出し、読み出した補正値Ｖｔｈ１〜Ｖｔｈ３に基づき閾値を補正する。
【００３４】
したがって、判定部１００は、ＬＵＴ１０２に登録された補正値Ｖｔｈ１〜Ｖｔｈ３により閾値を容易に補正できる。
【００３５】
また、信号レベルは、温度や回線の負荷状態などの環境条件の変化（経年劣化を含む）に応じて変動するため、補正値Ｖｔｈ１〜Ｖｔｈ３は、該変動を考慮した実測またはシミュレーションに基づき設定されてもよい。
【００３６】
図６には、閾値の補正の他例が示されている。符号Ｇ０〜Ｇ３及びＧ０ａ〜Ｇ３ａは、遷移パタンが「１」，「３」，「２」，「０」である場合における、シンボル値「０」〜「３」にそれぞれ対応する受信波形を示す。受信波形Ｇ０〜Ｇ３からは、各シンボル値「０」〜「３」の信号レベルの最大値が取得され、受信波形Ｇ０ａ〜Ｇ３ａからは、各シンボル値「０」〜「３」の信号レベルの最小値が取得される。
【００３７】
補正値Ｖｔｈ１〜Ｖｔｈ３は、連続する２つのシンボル値にそれぞれ対応する信号レベルの最大値及び最小値の中間値として算出される。すなわち、補正値Ｖｔｈ１は、シンボル値「０」に対応する信号レベルの最大値と、シンボル値「１」に対応する信号レベルの最小値の中間値である。補正値Ｖｔｈ２は、シンボル値「１」に対応する信号レベルの最大値と、シンボル値「２」に対応する信号レベルの最小値の中間値である。補正値Ｖｔｈ３は、シンボル値「２」に対応する信号レベルの最大値と、シンボル値「３」に対応する信号レベルの最小値の中間値である。
【００３８】
このように、環境条件の変化を考慮して補正値Ｖｔｈ１〜Ｖｔｈ３を設定することにより、判定部１００は、環境条件の変化が生じた場合でも正しいシンボル値を判定できる。しかし、以下の実施例のように、環境条件の変化に応じた補正値の変動量をＬＵＴ１０２の外部に保持しておき、補正値Ｖｔｈ１〜Ｖｔｈ３の変動を補償してもよい。
【００３９】
（第２実施例）
図７は、第２実施例のシンボル復元部１０を示す構成図である。図７において、図３と共通する構成については同一の符号を付し、その説明を省略する。
【００４０】
シンボル復元部１０は、判定部１００と、シンボルパタン検出部１０１と、ＬＵＴ１０２と、補償部１０３と、加算器１０４とを有する。補償部１０３は、環境条件の変化に応じた補正値Ｖｔｈ１〜Ｖｔｈ３の変動を補償する。環境条件としては、例えば温度、回線の負荷状態、及び受信装置１の劣化の度合いなどが挙げられる。なお、補償部１０３は、上記のＤＳＰ１０ａに含まれてもよい。
【００４１】
図８には、補正値Ｖｔｈ１〜Ｖｔｈ３の変動の一例が示されている。図８において、図６と共通する構成については同一の符号を付し、その説明を省略する。
【００４２】
本例において、補正値Ｖｔｈ１〜Ｖｔｈ３は、連続する２つのシンボル値に対応する２つの信号レベルの最大値同士の中間値に設定されている。補正値Ｖｔｈ１〜Ｖｔｈ３は、環境変化に応じてＶｔｈ１’〜Ｖｔｈ３’に変動する。 ここで、変動後の補正値Ｖｔｈ１’〜Ｖｔｈ３’は、連続する２つのシンボル値に対応する信号レベルの最小値同士の中間値に設定されている。
【００４３】
補償部１０３は、変動前後の補正値Ｖｔｈ１〜Ｖｔｈ３、Ｖｔｈ１’〜Ｖｔｈ３’の差分ｄＶｔｈ１〜ｄＶｔｈ３を保持する。補償部１０３として、例えば、外部から内容の書き換えが可能なメモリを採用することができる。加算器１０４は、補償部１０３から出力された差分ｄＶｔｈ１〜ｄＶｔｈ３を、ＬＵＴ１０２から出力された補正値Ｖｔｈ１〜Ｖｔｈ３にそれぞれ加算する。
【００４４】
したがって、判定部１００は、環境条件の変化が生じた場合でも正しいシンボル値を判定できる。さらに、補償部１０３が保持する差分ｄＶｔｈ１〜ｄＶｔｈ３は書き換え可能であるため、通信回線の運用の開始後であっても、判定部１００は、環境条件の変化に対応して閾値を変更できる。また、以下の実施例のように、環境条件の変化量を検出する手段を設けることにより、リアルタイムに補正値Ｖｔｈ１〜Ｖｔｈ３の補償を行ってもよい。
【００４５】
（第３実施例）
図９は、第３実施例のシンボル復元部１０を示す構成図である。図９において、図７と共通する構成については同一の符号を付し、その説明を省略する。
【００４６】
シンボル復元部１０は、判定部１００と、シンボルパタン検出部１０１と、ＬＵＴ１０２と、補償部１０３ａと、加算器１０４と、センサ部１０５とを有する。センサ部１０５は、環境条件の変化量を検出する環境変化検出部の一例である。センサ部１０５は、１種類以上のセンサを有し、例えば、温度と湿度を検出するセンサ、及び、回線の負荷状態を検出するセンサ（伝送路Ｄの帯域の測定手段）などを含む。
【００４７】
補償部１０３ａは、センサ部１０５における環境条件の変化量の検出結果に応じて補正値Ｖｔｈ１〜Ｖｔｈ３の変動を補償する。なお、補償部１０３ａは、上記のＤＳＰ１０ａに含まれてもよい。
【００４８】
図１０には、温度変化に伴う補正値Ｖｔｈ１〜Ｖｔｈ３の変動の一例が示されている。図１０において、図８と共通する構成については同一の符号を付し、その説明を省略する。
【００４９】
符号Ｈは、温度Ｔ（℃）の変化に対する補正値Ｖｔｈ１〜Ｖｔｈ３の変化を表したグラフである。補正値Ｖｔｈ１〜Ｖｔｈ３の変化特性は、実測またはシミュレーション結果の受信波形Ｇ０〜Ｇ３，Ｇ０ａ〜Ｇ３ａの信号レベルに基づき、温度Ｔ（℃）を変数とする関数ｆｕｎｃ１（Ｔ）〜ｆｕｎｃ３（Ｔ）として得られる。なお、本例では、環境条件として温度を挙げたが、湿度などの他の環境条件についても上記と同様に関数化が可能である。さらに、複数の環境条件が存在する場合、複数の変数を有する関数化が行われてもよい。
【００５０】
本例の場合、補償部１０３ａは、関数ｆｕｎｃ１（Ｔ）〜ｆｕｎｃ３（Ｔ）に基づいて、センサ部１０５が検出した温度Ｔ（℃）から補正値Ｖｔｈ１〜Ｖｔｈ３を算出する。図９の例では、補償部１０３ａは、算出した補正値Ｖｔｈ１〜Ｖｔｈ３を、例えば、符号ｒ２で示されるように、ＬＵＴ１０２に書き込む。これにより、ＬＵＴ１０２に登録された補正値Ｖｔｈ１〜Ｖｔｈ３が、温度変化に応じリアルタイムに最適値に更新される。
【００５１】
また、補正値Ｖｔｈ１〜Ｖｔｈ３の関数化に代えて、上記の差分ｄＶｔｈ１〜ｄＶｔｈ３の関数化が行われてもよい。この場合、補償部１０３ａは、該関数に基づいて、センサ部１０５が検出した温度Ｔ（℃）から、差分ｄＶｔｈ１〜ｄＶｔｈ３を算出する。
【００５２】
補償部１０３ａは、算出した差分ｄＶｔｈ１〜ｄＶｔｈ３を、例えば、符号ｒ１で示されるように加算器１０４に出力する。加算器１０４は、補償部１０３ａから出力された差分ｄＶｔｈ１〜ｄＶｔｈ３を、ＬＵＴ１０２から出力された補正値Ｖｔｈ１〜Ｖｔｈ３にそれぞれ加算する。
【００５３】
これにより、判定部１００に出力される補正値Ｖｔｈ１〜Ｖｔｈ３が、温度変化に応じリアルタイムに最適値に変更される。なお、環境条件として温度を挙げたが、湿度などの他の環境条件についても、上記と同様の手法により補正値Ｖｔｈ１〜Ｖｔｈ３の補償が可能である。また、２つ以上の環境条件に関しても、上記と同様の手法により補正値Ｖｔｈ１〜Ｖｔｈ３の補償が可能である。
【００５４】
また、ＬＵＴ１０２には、環境条件の変化量に応じた補正値Ｖｔｈ１〜Ｖｔｈ３が登録されてもよい。この場合、センサ部１０５は、符号ｒ３で示されるように、検出した環境条件の変化量をＬＵＴ１０２に出力し、ＬＵＴ１０２は、該変化量に応じた補正値Ｖｔｈ１〜Ｖｔｈ３を判定部１００に出力する。これにより、ＬＵＴ１０２に登録された補正値Ｖｔｈ１〜Ｖｔｈ３が、環境条件の変化量に応じリアルタイムに最適値に更新される。なお、センサ部１０５は、環境条件の変化量に代えて、環境条件の測定値をＬＵＴ１０２に出力し、ＬＵＴ１０２は、該測定値に応じた補正値Ｖｔｈ１〜Ｖｔｈ３を判定部１００に出力してもよい。
【００５５】
しかし、本実施例で対応できる環境条件は、センサ部１０５により測定可能なものに限られる。また、本実施例では、環境条件の変化に対する補正値Ｖｔｈ１〜Ｖｔｈ３の変化特性を予め関数化する手間が生ずるだけでなく、該関数の近似精度にも限界がある。そこで、以下の実施例のように、受信装置１は、送信装置２との間でキャリブレーション処理を行うことにより、伝送路Ｄに送信された実際の信号Ｓに基づいて補正値Ｖｔｈ１〜Ｖｔｈ３を算出してもよい。
【００５６】
（第４実施例）
図１１は、第４実施例のシンボル復元部１０を示す構成図である。図１１において、図３と共通する構成については同一の符号を付し、その説明を省略する。
【００５７】
本実施例において、受信装置１は、所定の遷移パタンのシンボルを含むキャリブレーション（ＣＡＬ）データを受信し、ＣＡＬデータの信号レベルと、予め保持されたシンボル値の期待値とから補正値Ｖｔｈ１〜Ｖｔｈ３を算出する。
【００５８】
シンボル復元部１０は、判定部１００と、シンボルパタン検出部１０１と、ＬＵＴ１０２と、キャリブレーション（ＣＡＬ）処理部１０６と、キャリブレーション（ＣＡＬ）データパタン保持部１０７とを有する。なお、ＣＡＬ処理部１０６及びＣＡＬデータパタン保持部１０７は、上記のＤＳＰ１０ａに含まれてもよい。
【００５９】
ＣＡＬ処理部１０６は、算出部として機能し、遷移パタンが予め定められたシンボルを伝送する信号ＳをＡ／Ｄ変換することにより得られた信号レベルと、シンボル値の期待値とに基づき補正値Ｖｔｈ１〜Ｖｔｈ３を算出して、ＬＵＴ１０２に書き込む。ＣＡＬ処理部１０６は、ＣＡＬデータ検出部１０６ａと、マッピング部１０６ｂと、演算部１０６ｃとを有する。
【００６０】
ＣＡＬ処理部１０６は、送信装置２から送信されたＣＡＬデータによりキャリブレーション処理を行う。ＣＡＬデータは、予め定められた遷移パタンに従うシンボル値を有するデータであり、信号Ｓの回線データの途中に挿入されている。ＣＡＬデータの先頭及び最後尾には、固定パタンのデータを有するヘッダ及びフッタが付与されている。
【００６１】
このため、ＣＡＬデータ検出部１０６ａは、ヘッダ及びフッタを検出することによりＣＡＬデータを検出できる。ＣＡＬデータ検出部１０６ａは、ＣＡＬデータを検出すると、その旨をマッピング部１０６ｂに通知する。
【００６２】
マッピング部１０６ｂは、ＣＡＬデータ検出部１０６ａから通知を受けると、アナログ−デジタル変換部１１から出力されたＣＡＬデータの信号レベルを、該ＣＡＬデータのシンボル値の期待値に対応付ける。マッピング部１０６ｂは、ＣＡＬデータパタン保持部１０７からＣＡＬデータのシンボル値の期待値を取得する。
【００６３】
ＣＡＬデータパタン保持部１０７は、ＣＡＬデータのシンボル値の期待値を保持する。ＣＡＬデータパタン保持部１０７は、例えばメモリなどの記憶手段により設けられるが、これに限定されることはなく、ＤＳＰ１０ａ内に設けられてもよい。なお、ＣＡＬデータパタン保持部１０７に保持された期待値は、固定値であっても、外部からの書き換えが可能であってもよい。
【００６４】
演算部１０６ｃは、マッピング部１０６ｂにおけるＣＡＬデータの信号レベルとシンボル値の期待値の対応付けの結果（つまりマッピングの結果）に基づいて、補正値Ｖｔｈ１〜Ｖｔｈ３を算出する。
【００６５】
図１２には、信号レベルのマッピングと補正値Ｖｔｈ１〜Ｖｔｈ３の一例が示されている。図１２において、「Ｎｏ．」（０〜２５５）及び「遷移パタン」は、ＬＵＴ１０２内の「Ｎｏ．」及び「遷移パタン」にそれぞれ対応し、「信号レベル」は、当該遷移パタンに続くシンボル値の期待値「０」〜「３」にそれぞれ対応するＣＡＬデータの信号レベルである。例えば、Ｎｏ．１２０を参照すると、シンボル値「１」，「３」，「２」，「０」の遷移パタンに続くシンボル値の期待値「０」〜「３」には、アナログ−デジタル変換部１１から得たＣＡＬデータの信号レベルとして、３８，７０，Ａ８，Ｅ０（１６進数）がそれぞれ対応付けられている。このＣＡＬデータの信号レベルは、ＣＡＬデータパタン保持部１０７に保持された期待値と比べると、送信装置２、受信装置１、及び伝送路Ｄの影響により劣化した値を示す。
【００６６】
また、「補正値」は、当該ＣＡＬデータの信号レベルから算出された補正値Ｖｔｈ１〜Ｖｔｈ３を示す。例えば、Ｎｏ．１２０を参照すると、補正値Ｖｔｈ１は、期待値「０」，「１」に対応する信号レベル、つまり３８，７０（１６進数）の中間値である５４（１６進数）となる。なお、補正値Ｖｔｈ１〜Ｖｔｈ３の算出手段は、これに限定されることはなく、後述するように信号レベルの分布に基づいた算出手段を採用してもよい。
【００６７】
本例において、マッピング部１０６ｂは、シンボル値「０」〜「３」に対応する２５５個の全ての遷移パタンについて信号レベルのマッピングを行う。したがって、信号Ｓ内のＣＡＬデータには、全ての遷移パタンと各シンボル値「０」〜「３」の全て組み合わせで構成される１０２４通り（＝４５）のデータパタンが含まれる。
【００６８】
しかし、伝送路Ｄ内の使用可能な帯域が十分ではない場合、上記の全データパタンを含むＣＡＬデータが送信装置２から一度に送信されると、帯域不足が生じることで回線データに影響を与え得る。したがって、この場合、送信装置２は、データパタンを複数のＣＡＬデータに分割して送信してもよい。このとき、各ＣＡＬデータには上記のヘッダ及びフッタが付与されているため、ＣＡＬデータ検出部１０６ａは、信号Ｓから各ＣＡＬデータを検出できる。
【００６９】
なお、マッピング部１０６ｂは、ＬＵＴ１０２の容量の削減及びキャリブレーション処理の所要時間の短縮のため、シンボル値「０」〜「３」に対応する一部の遷移パタンのみについて信号レベルのマッピングを行ってもよい。この場合、マッピング部１０６ｂは、他よりも波形劣化の程度が低くなる遷移パタン及びシンボル値の組み合わせについてのマッピング処理を省略して、当該組み合わせについては所定の補正値Ｖｔｈ１〜Ｖｔｈ３を用いてもよい。
【００７０】
このようにして算出された補正値Ｖｔｈ１〜Ｖｔｈ３は、ＬＵＴ１０２に書き込まれる。ＬＵＴ１０２には、演算部１０６ｃからの書き込み処理と、判定部１００からの読み出し処理との競合を回避するため、第１領域１０２ａ及び第２領域１０２ｂが設けられている。
【００７１】
演算部１０６ｃは、第１領域１０２ａ及び第２領域１０２ｂの一方に補正値Ｖｔｈ１〜Ｖｔｈ３を書き込み、書き込みが完了するたびに該書き込み対象の領域を他方に切り替える。判定部１００は、第１領域１０２ａ及び第２領域１０２ｂの他方から補正値Ｖｔｈ１〜Ｖｔｈ３を読み出し、演算部１０６ｃが補正値の書き込みを完了するたびに、該読み出し対象の領域を書き込みが完了した領域に切り替える。
【００７２】
すなわち、演算部１０６ｃが第２領域１０２ｂに対して書き込み処理を行う場合、判定部１００は、第１領域１０２ａに対して読み出し処理を行う（実線の矢印参照）。逆に、演算部１０６ｃが第１領域１０２ａに対して書き込み処理を行う場合、判定部１００は、第２領域１０２ｂに対して読み出し処理を行う（点線の矢印参照）。
【００７３】
このように、演算部１０６ｃが、キャリブレーション処理において算出した全ての補正値Ｖｔｈ１〜Ｖｔｈ３を第１領域１０２ａ及び第２領域１０２ｂの一方に書き込んだ後、判定部１００は、該一方の領域から補正値Ｖｔｈ１〜Ｖｔｈ３を読み出す。したがって、演算部１０６ｃからの書き込み処理と、判定部１００からの読み出し処理との競合が回避され、誤動作が防止される。なお、本実施例では、２つの領域１０２ａ，１０２ｂがＬＵＴ１０２に設けられているが、３つ以上の領域を設けた上で読み出し対象の領域及び書き込み対象の領域を順次に切り替えてもよい。もっとも、キャリブレーション処理の速度やＬＵＴ１０２へのアクセス速度が信号Ｓの伝送速度より十分に高いために、誤動作の防止が保証できる場合には、ＬＵＴ１０２内の領域は１つであってもよい。
【００７４】
図１３は、キャリブレーション処理の一例を示すフローチャートである。ＣＡＬデータ検出部１０６ａは、ＣＡＬデータを受信したか否かを判定する（ステップＳｔ１）。ＣＡＬデータは、ヘッダ及びフッタに基づいて検出される。ＣＡＬデータが受信されていない場合（ステップＳｔ１のＮｏ）、処理が終了する。
【００７５】
また、ＣＡＬデータが受信された場合（ステップＳｔ１のＹｅｓ）、マッピング部１０６ｂは、ＣＡＬデータパタン保持部から取得したシンボル値の期待値に基づいて、ＣＡＬデータの信号レベルをマッピングする（ステップＳｔ２）。次に、演算部１０６ｃは、マッピングした信号レベルに基づき補正値Ｖｔｈ１〜Ｖｔｈ３を算出する（ステップＳｔ３）。
【００７６】
次に、演算部１０６ｃは、算出した補正値Ｖｔｈ１〜Ｖｔｈ３をＬＵＴ１０２に書き込む（ステップＳｔ４）。このようにしてキャリブレーション処理は行われる。本実施例によると、上述した実施例とは異なり、関数化などの手間が不要となるだけでなく、送信装置２から送信された実際の信号Ｓに基づいて高精度に補正値Ｖｔｈ１〜Ｖｔｈ３を算出できる。また、ＣＡＬ処理部１０６は、例えば一定の時間周期でキャリブレーション処理を行うことにより、ＬＵＴ１０２の補正値を、適宜、環境条件の変動に対応して更新することができる。
【００７７】
本実施例において、演算部１０６ｃは、補正値Ｖｔｈ１〜Ｖｔｈ３を、信号レベル同士の中間値として算出したが、これに限定されず、例えば、信号レベルの分布に基づいて算出してもよい。
【００７８】
図１４には、信号レベルの分布に基づいた補正値Ｖｔｈ１〜Ｖｔｈ３の算出例が示されている。符号Ｗ２は、シンボル値「２」に対応する３つの受信波形を示し、符号Ｗ３は、シンボル値「３」に対応する３つの受信波形を示す。なお、本例では、シンボル値「２」,「３」間の閾値の補正値Ｖｔｈ３の算出例を示すが、他の補正値Ｖｔｈ１，Ｖｔｈ２も同様の手法で算出される。
【００７９】
シンボル値「２」，「３」に対応する受信波形Ｗ２，Ｗ３において、信号レベルの最大値は、逆三角印（▽）で示され、信号レベルの最小値は、三角印（△）で示されている。また、信号レベルの中心値は、丸印（○）で示されている。
【００８０】
また、符号Ｘ２は、シンボル値「２」に対応する信号レベルの分布を示し、符号Ｘ３は、シンボル値「３」に対応する信号レベルの分布を示す。分布Ｘ２，Ｘ３を参照すると理解されるように、シンボル値「２」に対応する信号レベルのばらつきは、シンボル値「３」に対応する信号レベルのばらつきより大きい。
【００８１】
そこで、演算部１０６ｃは、シンボル値「２」，「３」に対応する各信号レベルの分布に基づく重みを考慮して、補正値Ｖｔｈ３を算出する。より具体的には、演算部１０６ｃは、シンボル値「２」，「３」にそれぞれ対応する信号レベルの中心値ｍ２，ｍ３、及び標準偏差σ２，σ３から、ｍ２＋３σ２とｍ３＋３σ３の中心値を補正値Ｖｔｈ３として算出する。
【００８２】
このため、補正値Ｖｔｈ３は、単に、各信号レベルの中心値ｍ２，ｍ３の中間値ｍとして算出された場合とは異なり、各信号レベルの分布に基づいて重み付けされた値となる。なお、本例では、分布Ｘ２，Ｘ３の３σ２，３σ３の範囲を算出に用いたが、これに限定されず、例えば５σ２，５σ３の範囲を算出に用いてもよい。また、本例の算出手段は、他の実施例における補正値Ｖｔｈ１〜Ｖｔｈ３の算出に用いられてもよい。
【００８３】
また、演算部１０６ｃは、ＣＡＬデータの信号レベルに基づいて、遷移パタンに含まれるシンボル数を設定する。マッピング部１０６ｂ及びシンボルパタン検出部１０１は、遷移パタンとして直前の４個のシンボルを参照したが、演算部１０６ｃの設定に従って、例えば２個のシンボルを参照してもよい。
【００８４】
図１５には、この場合の信号レベルのばらつきが示されている。図１５は、一例として、遷移パタン「２」，「０」に対応するシンボル値「０」〜「３」（「＊」参照）の受信波形を示す。この場合、信号レベルのばらつきが、４個のシンボル値を参照した場合（図８参照）より大きい。
【００８５】
このため、例えば、シンボル値「１」の信号レベルの最小値とシンボル値「０」の信号レベルの最大値の差分ΔＶは、４個のシンボル値を参照した場合より小さい。また、符号Ｐで示されるように、シンボル値「３」の信号レベルの最小値は、シンボル値「２」の信号レベルの最大値より小さく、大小関係が逆転している。
【００８６】
このため、演算部１０６ｃが、遷移パタンに含まれるシンボル数を２個に設定した場合、正常な補正値Ｖｔｈ１〜Ｖｔｈ３は算出されない。そこで、演算部１０６ｃは、ＣＡＬデータの連続する２個のシンボル値にそれぞれ対応する信号レベルの最大値及び最小値を比較し、該比較結果に基づいて、遷移パタンに含まれるシンボル数を設定する。
【００８７】
図１６は、遷移パタンのシンボル数の設定処理の一例を示すフローチャートである。演算部１０６ｃは、マッピング部１０６ｂ及びシンボルパタン検出部１０１に対し、遷移パタン内のシンボル数Ｎの初期値を設定する（ステップＳｔ１１）。
【００８８】
次に、演算部１０６ｃは、送信装置２にＣＡＬデータを要求する（ステップＳｔ１２）。このとき、演算部１０６ｃは、例えばネットワーク管理装置（図示せず）を介して送信装置にＣＡＬデータを要求する。
【００８９】
次に、ＣＡＬデータ検出部１０６ａは、ＣＡＬデータを検出する（ステップＳｔ１３）。次に、マッピング部１０６ｂは、ＣＡＬデータの信号レベルの最大値及び最小値をマッピングする（ステップＳｔ１４）。このとき、マッピング部１０６ｂは、図１２と同様のテーブルを用意し、キャリブレーション処理中、テーブル内の各シンボル値に対応する信号レベルの最大値及び最小値を随時更新する。
【００９０】
次に、マッピング部１０６ｂは、各シンボル値に対応する全ての遷移パタンのＣＡＬデータの受信が完了したか否かを判定する（ステップＳｔ１５）。受信が未完了の場合（ステップＳｔ１５のＮｏ）、再びステップＳｔ１２の処理が行われる。
【００９１】
演算部１０６ｃは、受信が完了の場合（ステップＳｔ１５のＹｅｓ）、連続した２個のシンボル値にそれぞれ対応する信号レベルの最大値及び最小値の差（最小値−最大値）が所定値Ｋ（＞０）より大きいか否かを判定する（ステップＳｔ１６）。例えば、演算部１０６ｃは、シンボル値「３」に対応する信号レベルの最小値から、シンボル値「２」に対応する信号レベルの最大値を減算し、得られた値が所定値Ｋより大きいか否かを判定する。演算部１０６ｃは、シンボル値「２」，「１」の各信号レベルの最小値及び最大値の間の差分、及びシンボル値「１」，「０」間の各信号レベルの最小値及び最大値の間の差分についても同様に判定を行う。
【００９２】
演算部１０６ｃは、全ての差分が所定値Ｋより大きい場合（ステップＳｔ１６のＹｅｓ）、補正値Ｖｔｈ１〜Ｖｔｈ３を算出する（ステップＳｔ１７）。次に、演算部１０６ｃは、算出した補正値Ｖｔｈ１〜Ｖｔｈ３をＬＵＴ１０２に書き込み（ステップＳｔ１８）、処理を終了する。
【００９３】
一方、少なくとも１つの差分が所定値Ｋ以下である場合（ステップＳｔ１６のＮｏ）、演算部１０６ｃは、遷移パタン内のシンボル数Ｎが最大値Ｎｍａｘより大きいか否かを判定する（ステップＳｔ１９）。Ｎ＞Ｎｍａｘの場合（ステップＳｔ１９のＹｅｓ）、演算部１０６ｃは、処理を終了する。
【００９４】
また、Ｎ≦Ｎｍａｘの場合（ステップＳｔ１９のＮｏ）、演算部１０６ｃは、遷移パタン内のシンボル数Ｎを１つ加算して、マッピング部１０６ｂ及びシンボルパタン検出部１０１に対して設定する（ステップＳｔ２０）。なお、最大値Ｎｍａｘは、例えば、メモリに割り当て可能なＬＵＴ１０２の最大容量に基づいて決定される。
【００９５】
次に、演算部１０６ｃは、設定したシンボル数Ｎに応じたＬＵＴ１０２の容量（例えばメモリ容量）を確保し（ステップＳｔ２１）、再びステップＳｔ１２の処理を行う。このようにして、遷移パタンのシンボル数の設定処理は行われる。なお、本例において、演算部１０６ｃは、信号レベルの最小値及び最大値の比較結果に基づいてシンボル数Ｎを増加させたが、シンボル数Ｎを減少させてもよい。
【００９６】
このように、ＣＡＬ処理部１０６は、遷移パタンが予め定められたシンボルの２つの異なる値にそれぞれ対応する信号レベルの最大値及び最小値を比較し、該比較結果に基づいて、遷移パタンに含まれるシンボル数を設定する。これにより、遷移パタンとして参照されるシンボル数が最適値に設定されるため、ＬＵＴ１０２の容量を、無駄なく適切に確保できる。また、図１５の例のように適切な補正値Ｖｔｈ１〜Ｖｔｈ３を算出できない場合でも、シンボル数を変更することにより適切な補正値Ｖｔｈ１〜Ｖｔｈ３を算出が可能となる。
【００９７】
また、ＣＡＬ処理部１０６は、ＣＡＬデータパタン保持部１０７から取得したＣＡＬデータのシンボル値の期待値に基づいてキャリブレーション処理を行ったが、これに限定されず、信号Ｓから取得した期待値に基づいてキャリブレーション処理を行ってもよい。
【００９８】
図１７は、伝送システムの他例を示す構成図である。図１７において、図１及び図１１と共通する構成については同一の符号を付し、その説明を省略する。
【００９９】
本例において、送信装置２は、判定部１００で誤判定されない程度にＣＡＬデータを伸長し、伸長したデータを元のＣＡＬデータに付与して受信装置１に送信する。受信装置１は、伸長したデータをシンボル値の期待値として取得し、ＣＡＬデータに基づいてキャリブレーション処理を行う。
【０１００】
送信装置２は、補正部２０と、デジタル−アナログ変換部２１と、増幅部２２と、電気−光変換部２３と、結合部２４と、ランダムデータ生成部２５と、データ伸長部２６とを有する。ランダムデータ生成部２５は、例えばＰＮ９などのランダムパタンのＣＡＬデータを生成して結合部２４及びデータ伸長部２６にそれぞれ出力する。
【０１０１】
データ伸長部２６は、ランダムデータ生成部２５から入力されたＣＡＬデータを、判定部１００で誤判定されない程度に伸長して、結合部２４に出力する。例えば、データ伸長部２６は、ＣＡＬデータを同一のシンボル値の反復化により伸長する。例を挙げると、シンボル値「０」，「１」，「２」，「３」のＣＡＬデータは、シンボル値「０」，「０」，「１」，「１」，「２」，「２」，「３」，「３」のＣＡＬデータに伸長される。
【０１０２】
また、データ伸長部２６は、ＣＡＬデータをシンボル値の２値化（０，１）により伸長してもよい。この場合、シンボル値「０」，「１」，「２」，「３」のＣＡＬデータは、シンボル値「００」，「０１」，「１０」，「１１」のＣＡＬデータにそれぞれ伸長される。なお、以降の説明では、伸長されたＣＡＬデータを「伸長データ」と表記する。
【０１０３】
結合部２４は、データ伸長部２６から入力された伸長データと、ランダムデータ生成部２５から入力されたＣＡＬデータとを結合して、補正部２０に出力する。なお、送信装置２は、ランダムデータ生成部２５に代えて、パタンジェネレータなどの外部のランダムデータ生成装置３によりＣＡＬデータを生成してもよい。この場合、ランダムデータ生成装置３は、生成したＣＡＬデータを結合部２４及びデータ伸長部２６にそれぞれ出力する（点線参照）。
【０１０４】
結合されたＣＡＬデータ及び伸長データは、その前後にヘッダ及びフッタが付与された後、信号Ｓとして、伝送路Ｄを介し受信装置１に送信される。ヘッダ及びフッタには、信号Ｓ内のＣＡＬデータ及び伸長データの位置を示す位置情報が含まれる。なお、送信装置２は、上記の１０２４通りの全てのデータパタンを一度に送信する必要はなく、複数個のＣＡＬデータ及び伸長データに分割して送信してもよい。
一部が含まれてもよい。
【０１０５】
受信装置１のシンボル復元部１０は、判定部１００と、シンボルパタン検出部１０１と、ＬＵＴ１０２と、ＣＡＬ処理部１０６と、キャリブレーション（ＣＡＬ）パタン取得部１０８とを有する。
【０１０６】
ＣＡＬパタン取得部１０８は、取得部として機能し、シンボルを伝送する信号Ｓに付与された伸長データからシンボル値の期待値を取得する。より具体的には、ＣＡＬパタン取得部１０８は、ヘッダ及びフッタに基づいて伸長データを検出し、伸長データから元のＣＡＬデータを復元することにより、期待値を取得する。ＣＡＬパタン取得部１０８は、取得した期待値をＣＡＬ処理部１０６に出力する。
【０１０７】
ＣＡＬ処理部１０６は、上述した実施例と同様に、ヘッダ及びフッタに基づいてＣＡＬデータを検出し、該ＣＡＬデータと、取得した期待値とから補正値Ｖｔｈ１〜Ｖｔｈ３を算出する。ＣＡＬ処理部１０６は、算出した補正値Ｖｔｈ１〜Ｖｔｈ３をＬＵＴ１０２に書き込む。
【０１０８】
本実施例によると、受信装置１にＣＡＬデータパタン保持部１０７を設ける必要がないため、受信装置１のコストが低減される。さらに、予めＣＡＬデータのパタンを準備する必要がないので、設計コストも低減される。
【０１０９】
なお、上述した信号処理方法は、光伝送システムに限定されず、一般の有線システムや無線の伝送システムにも適用できる。無線の伝送システムにおいては、例えば、伝送路を形成する空間のロスを近似式などでモデリングすることにより、上記の内容と同様の手法で補正値Ｖｔｈ１〜Ｖｔｈ３を算出可能である。もっとも、無線の伝送システムには、スマートフォンなどの移動体通信装置が含まれるため、移動体通信装置の移動により伝送路の状態が常に変化する。このため、キャリブレーション処理が実行される時間周期を、有線の伝送システムの場合より短くすることにより、突発的な伝送路の状態変化に対応して補正値を算出することが望ましい。
【０１１０】
これまで述べたように、実施例に係る信号処理装置１は、シンボルを伝送する信号ＳをＡ／Ｄ変換することにより得られた信号値を処理し、判定部１００と、検出部１０１とを有する。判定部１００は、信号値と閾値を比較し、該比較結果に基づきシンボルの値を判定する。検出部１０１は、シンボルの値が遷移するパタンを検出する。判定部１００は、検出部１０１により検出されたパタンに応じて閾値を補正する。
【０１１１】
このため、判定部１００は、シンボル値を正しく判定することができるので、伝送品質が向上する。
【０１１２】
また、実施例に係る信号処理方法は、シンボルを伝送する信号ＳをＡ／Ｄ変換することにより得られた信号値を処理する方法である。該信号処理方法では、信号値と閾値を比較し、該比較結果に基づきシンボルの値を判定し、シンボルの値が遷移するパタンを検出し、パタンに応じて前記閾値を補正する。
【０１１３】
実施例に係る信号処理方法は、実施例に係る信号処理装置と同様の構成を含むので、上述した内容と同様の作用効果を奏する。
【０１１４】
上述した実施形態は本発明の好適な実施の例である。但し、これに限定されるものではなく、本発明の要旨を逸脱しない範囲内において種々変形実施可能である。
【０１１５】
なお、以上の説明に関して更に以下の付記を開示する。
（付記１）  シンボルを伝送する信号をＡ／Ｄ変換することにより得られた信号値を処理する信号処理装置において、
前記信号値と閾値を比較し、該比較結果に基づき前記シンボルの値を判定する判定部と、
前記シンボルの値が遷移するパタンを検出する検出部とを有し、
前記判定部は、前記検出部により検出された前記パタンに応じて前記閾値を補正することを特徴とする信号処理装置。
（付記２）  前記パタンごとに対応する前記閾値の補正値を記憶する記憶部を、さらに有し、
前記判定部は、前記記憶部から、前記検出部により検出された前記パタンに対応する前記補正値を読み出し、読み出した前記補正値に基づき前記閾値を補正することを特徴とする付記１に記載の信号処理装置。
（付記３）  前記パタンが予め定められた前記シンボルを伝送する信号をＡ／Ｄ変換することにより得られた前記信号値と、前記シンボルの値の期待値とに基づき前記補正値を算出して、前記記憶部に書き込む算出部を、さらに有することを特徴とする付記２に記載の信号処理装置。
（付記４）  前記シンボルを伝送する信号に付与されたデータから前記期待値を取得する取得部を、さらに有することを特徴とする付記３に記載の信号処理装置。
（付記５）  前記算出部は、前記パタンが予め定められた前記シンボルの２つの異なる値にそれぞれ対応する前記信号値の最大値及び最小値を比較し、該比較結果に基づいて、前記パタンに含まれる前記シンボルの数を設定することを特徴とする付記３または４に記載の信号処理装置。
（付記６）  前記記憶部は、複数の領域が設けられ、
前記算出部は、前記複数の領域の１つに前記補正値を書き込み、書き込みが完了するたびに該領域を切り替え、
前記判定部は、前記複数の領域の他の１つから前記補正値を読み出し、前記算出部が前記補正値の書き込みを完了するたびに、該読み出し対象の領域を前記書き込みが完了した領域に切り替えることを特徴とする付記３乃至５の何れかに記載の信号処理装置。
（付記７）  環境条件の変化に応じた前記補正値の変動を補償する補償部を、さらに有することを特徴とする付記２に記載の信号処理装置。
（付記８）  前記環境条件の変化量を検出する環境変化検出部を、さらに有し、
前記補償部は、前記環境条件の変化量の検出結果に応じて前記補正値の変動を補償することを特徴とする付記７に記載の信号処理装置。
（付記９）  シンボルを伝送する信号をＡ／Ｄ変換することにより得られた信号値を処理する信号処理方法において、
前記信号値と閾値を比較し、該比較結果に基づき前記シンボルの値を判定し、
前記シンボルの値が遷移するパタンを検出し、
前記パタンに応じて前記閾値を補正することを特徴とする信号処理方法。
（付記１０）  前記パタンごとに対応する前記閾値の補正値を記憶する記憶部から、検出された前記パタンに対応する前記補正値を読み出し、読み出した前記補正値に基づき前記閾値を補正することを特徴とする付記９に記載の信号処理方法。
（付記１１）  前記パタンが予め定められた前記シンボルを伝送する信号をＡ／Ｄ変換することにより得られた前記信号値と、前記シンボルの値の期待値とに基づき前記補正値を算出して、前記記憶部に書き込むことを特徴とする付記１０に記載の信号処理方法。
（付記１２）  前記シンボルを伝送する信号に付与されたデータから前記期待値を取得することを特徴とする付記１１に記載の信号処理方法。
（付記１３）  前記パタンが予め定められた前記シンボルの２つの異なる値にそれぞれ対応する前記信号値の最大値及び最小値を比較し、該比較結果に基づいて、前記パタンに含まれる前記シンボルの数を設定することを特徴とする付記１１または１２に記載の信号処理方法。
（付記１４）  前記記憶部は、複数の領域が設けられ、
前記複数の領域の１つに前記補正値を書き込み、書き込みが完了するたびに該領域を切り替え、
前記複数の領域の他の１つから前記補正値を読み出し、前記補正値の書き込みを完了するたびに、該読み出し対象の領域を前記書き込みが完了した領域に切り替えることを特徴とする付記１１乃至１３の何れかに記載の信号処理方法。
（付記１５）  環境条件の変化に応じた前記補正値の変動を補償することを特徴とする付記１０に記載の信号処理方法。
（付記１６）  前記環境条件の変化量を検出し、
前記環境条件の変化量の検出結果に応じて前記補正値の変動を補償することを特徴とする付記１５に記載の信号処理方法。
【符号の説明】
【０１１６】
１      受信装置
２      送信装置
１１      アナログ−デジタル変換部
１００     判定部
１０１     シンボルパタン検出部
１０２     ルックアップテーブル
１０２ａ     第１領域
１０２ｂ     第２領域
１０３，１０３ａ    補償部
１０５     センサ部
１０６     キャリブレーション処理部
１０８     キャリブレーションパタン取得部
Ｖｔｈ１〜Ｖｔｈ３    補正値
Ｓ      信号
【図１】
2016086312.tif 000003
【図２】
2016086312.tif 000004
【図３】
2016086312.tif 000005
【図４】
2016086312.tif 000006
【図５】
2016086312.tif 000007
【図６】
2016086312.tif 000008
【図７】
2016086312.tif 000009
【図８】
2016086312.tif 000010
【図９】
2016086312.tif 000011
【図１０】
2016086312.tif 000012
【図１１】
2016086312.tif 000013
【図１２】
2016086312.tif 000014
【図１３】
2016086312.tif 000015
【図１４】
2016086312.tif 000016
【図１５】
2016086312.tif 000017
【図１６】
2016086312.tif 000018
【図１７】
2016086312.tif 000019